(57)【特許請求の範囲】
【請求項１】
検査対象の回路基板にプローブを介して検査用信号を供給したときに生じる物理量に基づいて当該回路基板の抵抗値を測定する測定部と、前記回路基板に対する検査用信号の供給に伴う放電の発生を検出する放電検出部と、前記測定部によって測定された前記抵抗値および前記放電検出部による検出結果に基づいて前記回路基板の良否を検査する検査部とを備えた回路基板検査装置であって、
前記測定部による前記抵抗値の測定精度を確認する際に用いる負荷回路と、当該負荷回路と前記プローブとを接続させるスイッチ回路と、前記放電検出部の動作確認の処理を行う処理部とを備え、
前記処理部は、前記プローブに前記検査用信号が供給されている状態において前記スイッチ回路によって前記負荷回路と前記プローブとが接続されたときに発生する擬似放電を用いて前記動作確認の処理を行う回路基板検査装置。
【請求項２】
前記負荷回路は、抵抗値の異なる複数の抵抗と、当該各抵抗を選択するスイッチとを備えて構成されている請求項１記載の回路基板検査装置。
【請求項３】
前記スイッチ回路によって前記負荷回路と前記プローブとが接続される時間長を任意に設定可能に構成されている請求項１または２記載の回路基板検査装置。
【請求項４】
前記処理部は、前記プローブに対する前記検査用信号の供給によって当該プローブに生じる電圧の値が予め決められた規定値に達したときに前記スイッチ回路を制御して前記負荷回路と前記プローブとを接続させて前記擬似放電を発生させる請求項１から３のいずれかに記載の回路基板検査装置。
【請求項５】
前記規定値を任意に設定可能に構成されている請求項４記載の回路基板検査装置。
【請求項６】
前記処理部は、前記プローブに対する前記検査用信号の供給開始時点から予め決められた規定時間が経過したときに前記スイッチ回路を制御して前記負荷回路と前記プローブとを接続させて前記擬似放電を発生させる請求項１から３のいずれかに記載の回路基板検査装置。
【請求項７】
前記規定時間を任意に設定可能に構成されている請求項６記載の回路基板検査装置。
【発明の詳細な説明】
【技術分野】
【０００１】
本発明は、回路基板に検査用信号を供給して測定した抵抗値、および回路基板に対する検査用信号の供給に伴う放電の発生の有無に基づいて回路基板を検査する回路基板検査装置に関するものである。
【背景技術】
【０００２】
この種の回路基板検査装置として、特許第３５４６０４６号公報に開示された絶縁検査装置が知られている。この絶縁検査装置は、可変電圧源、電圧計、制御部およびスパーク検出回路などを備えて構成され、回路基板における配線パターン間の絶縁状態の良否を判定し、絶縁状態が不良な配線パターンが存在するときにはその回路基板が不良品であると判定する。また、この絶縁検査装置は、絶縁検査中に配線パターン間で発生するスパークをスパーク検出回路が検出し、スパークを検出したときにも、その回路基板が不良品であると判定する。この場合、可変電圧源から出力される直流電圧の印加によってスパークが発生すると、可変電圧源の出力電圧が急変動（急低下）する。このため、スパーク検出回路がこの変動する電圧を検出することにより、スパークの発生が検出される。スパーク検出回路は、例えば、サンプルホールド回路や比較器等で構成され、電圧計から出力される電圧信号を所定の周期でサンプリングして電圧を比較し、電圧が基準値以上に変動した（立ち下がったこと）を検出したときに、スパーク発生信号を出力する。また、制御部は、スパーク検出回路からスパーク発生信号が出力されたときに、回路基板が不良品であると判定する。
【先行技術文献】
【特許文献】
【０００３】
【特許文献１】特許第３５４６０４６号公報（第５−６頁、第１図）
【発明の概要】
【発明が解決しようとする課題】
【０００４】
ところが、上記した絶縁検査装置を含む従来のこの種の回路基板検査装置には、以下の問題点がある。すなわち、従来の回路基板検査装置は、スパーク（放電）の発生を検出するスパーク検出回路が正常に動作するか否かを検査するため、擬似放電器を備えている。この場合、従来の回路基板検査装置では、一般的に、擬似放電器としてサージアブソーバ（アレスタ）が採用されている。サージアブソーバは、供給される電圧が予め決められた規定値よりも低い状態では高い抵抗を有し、供給される電圧が規定値以上となったときに抵抗が急激に低下する特性を有している。このため、サージアブソーバに直流電圧を供給することで、擬似放電を発生させることができる。しかしながら、サージアブソーバで発生する放電は、回路基板の配線パターンに直流電圧を供給したときに実際に発生する放電とは特性が異なることがある。例えば、回路基板において実際に発生する放電では、放電に伴う発熱によって配線パターンが焼損して放電が終了する（つまり、放電が１回だけ発生する）。これに対して、サージアブソーバで発生する擬似放電では、直流電圧の供給が継続している限り放電状態も断続的に継続する（つまり、擬似放電が何回も繰り返される）。このため、サージアブソーバで発生する擬似放電によってスパーク検出回路が動作することを確認したとしても、実際に発生する放電を確実に検出することができるか否かについてまで確認することは困難である。したがって、従来の回路基板検査装置には、スパーク検出回路の動作確認を正確に行うのが困難であるという問題点が存在する。
【０００５】
本発明は、かかる問題点に鑑みてなされたものであり、放電の発生を検出する放電検出部の動作確認を正確に行い得る回路基板検査装置を提供することを主目的とする。
【課題を解決するための手段】
【０００６】
上記目的を達成すべく請求項１記載の回路基板検査装置は、検査対象の回路基板にプローブを介して検査用信号を供給したときに生じる物理量に基づいて当該回路基板の抵抗値を測定する測定部と、前記回路基板に対する検査用信号の供給に伴う放電の発生を検出する放電検出部と、前記測定部によって測定された前記抵抗値および前記放電検出部による検出結果に基づいて前記回路基板の良否を検査する検査部とを備えた回路基板検査装置であって、前記測定部による前記抵抗値の測定精度を確認する際に用いる負荷回路と、当該負荷回路と前記プローブとを接続させるスイッチ回路と、前記放電検出部の動作確認の処理を行う処理部とを備え、前記処理部は、前記プローブに前記検査用信号が供給されている状態において前記スイッチ回路によって前記負荷回路と前記プローブとが接続されたときに発生する擬似放電を用いて前記動作確認の処理を行う。
【０００７】
また、請求項２記載の回路基板検査装置は、請求項１記載の回路基板検査装置において、前記負荷回路は、抵抗値の異なる複数の抵抗と、当該各抵抗を選択するスイッチとを備えて構成されている。
【０００８】
また、請求項３記載の回路基板検査装置は、請求項１または２記載の回路基板検査装置において、前記スイッチ回路によって前記負荷回路と前記プローブとが接続される時間長を任意に設定可能に構成されている。
【０００９】
また、請求項４記載の回路基板検査装置は、請求項１から３のいずれかに記載の回路基板検査装置において、前記処理部は、前記プローブに対する前記検査用信号の供給によって当該プローブに生じる電圧の値が予め決められた規定値に達したときに前記スイッチ回路を制御して前記負荷回路と前記プローブとを接続させて前記擬似放電を発生させる。
また、請求項５記載の回路基板検査装置は、請求項４記載の回路基板検査装置において、前記規定値を任意に設定可能に構成されている。
【００１０】
また、請求項６記載の回路基板検査装置は、請求項１から３のいずれかに記載の回路基板検査装置において、前記処理部は、前記プローブに対する前記検査用信号の供給開始時点から予め決められた規定時間が経過したときに前記スイッチ回路を制御して前記負荷回路と前記プローブとを接続させて前記擬似放電を発生させる。
また、請求項７記載の回路基板検査装置は、請求項６記載の回路基板検査装置において、前記規定時間を任意に設定可能に構成されている。
【発明の効果】
【００１２】
請求項１記載の回路基板検査装置によれば、処理部が、プローブに検査用信号が供給されている状態においてスイッチ回路によって負荷回路とプローブとが接続されたときに発生する擬似放電を用いて、放電検出部の動作確認の処理を行うことにより、スイッチ回路によって負荷回路とプローブとが接続されているときだけ擬似放電を発生させることができる。このため、この回路基板検査装置によれば、放電状態が断続的に長い時間継続するサージアブソーバとは異なり、検査用信号の供給に伴って回路基板に実際に発生する放電と同様の擬似放電を再現することができる。したがって、この回路基板検査装置によれば、放電検出部の動作確認を十分正確に行うことができる。また、この回路基板検査装置によれば、測定精度を確認する際に用いる負荷回路を擬似放電の発生用の負荷回路として兼用することができるため、擬似放電を発生させるための専用の負荷回路を用いる構成と比較して、回路基板検査装置を簡易に構成することができる。
【００１３】
また、請求項２記載の回路基板検査装置によれば、抵抗値の異なる複数の抵抗と各抵抗を選択するスイッチとを備えて負荷回路を構成したことにより、例えば、選択する抵抗を変更することで、擬似放電を発生させる際の電圧の変動量（降下量）などの負荷特性を数多くの種類に設定することができるため、擬似放電を実際に発生する放電にさらに近付けることができる。
【００１４】
また、請求項３記載の回路基板検査装置によれば、スイッチ回路によって負荷回路とプローブとが接続される時間長を任意に設定可能に構成したことにより、プローブを介して検査用信号が供給された回路基板に実際に発生する放電の継続時間に合わせて時間長を設定することで、擬似放電を実際に発生する放電に一層近付けることができる。
【００１５】
また、請求項４，６記載の回路基板検査装置によれば、予め決められた条件が満たされたときに処理部がスイッチ回路を制御して負荷回路とプローブとを接続させて擬似放電を発生させることにより、例えば、手動操作でスイッチ回路を作動させる構成と比較して、確実かつ容易に擬似放電を発生させることができるため、放電検出部の動作確認を確実かつ容易に行うことができる。
【００１６】
この場合、請求項４記載の回路基板検査装置によれば、プローブに対する検査用信号の供給によってプローブに生じる電圧の値が予め決められた規定値に達したときに処理部が予め決められた条件が満たされたとしてスイッチ回路を制御して負荷回路とプローブとを接続させることにより、実際に放電が発生するときに回路基板に生じる電圧値と同じ電圧値に規定値を設定することで、擬似放電が発生するタイミングを実際に放電が発生するタイミングに近付けることができるため、放電検出部の動作確認をさらに正確に行うことができる。
【００１７】
また、請求項５記載の回路基板検査装置によれば、処理部によってプローブに生じる電圧の値と比較される規定値を任意に設定可能に構成したことにより、実際に放電が発生するときに回路基板に生じる電圧値が回路基板の種類によって異なる場合においても、回路基板の種類に応じた電圧値に規定値を設定することができるため、複数種類の回路基板に対する検査を行う際の放電検出部の動作確認をより正確に行うことができる。
【図面の簡単な説明】
【００１８】
【図１】回路基板検査装置１の構成を示す構成図である。
【図２】負荷回路６の構成を示す構成図である。
【図３】プローブ２００，２００の間に生じるプローブ間電圧Ｖｍの電圧変化を示す波形図である。
【発明を実施するための形態】
【００１９】
以下、回路基板検査装置の実施の形態について、添付図面を参照して説明する。
【００２０】
最初に、回路基板検査装置の一例としての回路基板検査装置１の構成について説明する。図１に示す回路基板検査装置１は、例えば、電子部品が実装されていない回路基板（ベアボード）１００を検査可能に構成されている。具体的には、回路基板検査装置１は、同図に示すように、信号生成回路２、電圧検出部３、電流検出部４、放電検出部５、負荷回路６、スイッチ回路７および制御部８を備えて構成されている。
【００２１】
信号生成回路２は、制御部８の制御に従い、プローブ２００を介して検査対象の回路基板１００における導体パターン１０１に供給する検査用信号Ｖｅを生成して出力する。この場合、信号生成回路２は、一例として、電圧が５０Ｖ〜２００Ｖ程度の範囲内に規定された直流電圧信号を検査用信号Ｖｅとして生成する。
【００２２】
電圧検出部３は、図１に示すように、電圧検出回路３１およびＡ／Ｄコンバータ３２を備えて構成されている。電圧検出回路３１は、ローパスフィルタおよびレンジ回路を備えて構成され、回路基板１００の導体パターン１０１に対して検査用信号Ｖｅを供給したときに生じる物理量としての導体パターン１０１の間の電圧を検出する。Ａ／Ｄコンバータ３２は、電圧検出回路３１によって検出された電圧のサンプリングデータＤ１を出力する。
【００２３】
電流検出部４は、図１に示すように、電流検出回路４１およびＡ／Ｄコンバータ４２を備えて構成されている。電流検出回路４１は、ローパスフィルタおよびレンジ回路を備えて構成され、回路基板１００の導体パターン１０１に対して検査用信号Ｖｅを供給したときに生じる物理量としての導体パターン１０１の間（プローブ２００，２００の間）に流れる電流を検出する。Ａ／Ｄコンバータ４２は、電流検出回路４１によって検出された電流のサンプリングデータＤ２を出力する。
【００２４】
放電検出部５は、放電検出部の一例であって、回路基板１００の導体パターン１０１に対する検査用信号Ｖｅの供給に伴う放電の発生を検出する。具体的には、放電検出部５は、図１に示すように、電圧検出回路５１およびコンパレータ５２を備えて構成されている。電圧検出回路５１は、ハイパスフィルタおよびレンジ回路を備えて構成され、回路基板１００の導体パターン１０１に対して検査用信号Ｖｅを供給したときに生じる物理量としての導体パターン１０１の間の電圧を検出する。コンパレータ５２は、電圧検出回路５１によって検出された電圧の変動量と予め設定された基準値（基準変動量）Ｎとを比較して、検出された電圧の変動量が基準値Ｎ以上のときに検出信号Ｓｄを出力する。
【００２５】
負荷回路６は、図１に示すように、スイッチ回路７を介してプローブ２００，２００の間に）接続される。つまり、負荷回路６およびスイッチ回路７の直列回路が、プローブ２００，２００に接続されている。この場合、負荷回路６がプローブ２００，２００を接続（つまり抵抗を介して短絡）することにより、供給されている検査用信号Ｖｅを利用して疑似放電が発生する。また、負荷回路６は、一例として、図２に示すように、抵抗値が異なる複数（この例では、４個）の抵抗６１ａ〜６１ｄ（以下、区別しないときには抵抗６１ともいう）および各抵抗６１選択するための複数のスイッチ６２ａ〜６２ｄ（以下、区別しないときにはスイッチ６２ともいう）を備えて構成されている。ここで、抵抗６１ａ〜６１ｄは、複数（この例では、４つ）の測定レンジに予めそれぞれ対応付けられて基準抵抗として機能する。また、この負荷回路６は、スイッチ６２の切り替えによって各抵抗６１の１つを選択することで、擬似放電が発生する際の電圧の最小値などの負荷特性を、選択した測定レンジに応じて変更することが可能に構成されている。この場合、スイッチ６２は、制御部８から出力される作動信号Ｓｏ２に従って作動する。また、負荷回路６は、後述するように制御部８による抵抗測定の精度を確認する際にも用いられる。
【００２６】
スイッチ回路７は、一例として、ＦＥＴスイッチで構成されている。この場合、スイッチ回路７は、制御部８から出力される作動信号Ｓｏ１に従って作動して、作動信号Ｓｏ１の時間長ｔだけ負荷回路６とプローブ２００，２００とを接続させて、プローブ２００，２００の間に擬似放電を発生させる。
【００２７】
制御部８は、信号生成回路２による検査用信号Ｖｅの出力を制御する。また、制御部８は、測定部として機能し、電圧検出部３によって出力されるサンプリングデータＤ１から特定した電圧、および電流検出部４によって出力されるサンプリングデータＤ２から特定した電流に基づき、回路基板１００における導体パターン１０１の間の抵抗値を算出する。また、制御部８は、放電検出部５からの検出信号Ｓｄの出力の有無に基づき、回路基板１００の導体パターン１０１に対する検査用信号Ｖｅの供給に伴う放電の発生の有無を判定する。さらに、制御部８は、検査部として機能し、導体パターン１０１の間の抵抗値、および放電の発生の有無（放電検出部５による検出結果）に基づいて回路基板１００の良否を検査する。
【００２８】
また、制御部８は、処理部として機能し、プローブ２００，２００の間に発生させた擬似放電によって放電検出部５の動作を確認する処理を実行する。この場合、制御部８は、プローブ２００，２００に検出信号Ｓｄが供給されている状態において、プローブ間電圧Ｖｍの電圧値が予め設定された規定値Ｖｒに達したときに、予め決められた条件を満たしたとして、時間長ｔの作動信号Ｓｏ１を１回だけ出力することによってスイッチ回路７を作動させ、負荷回路６とプローブ２００，２００とを接続させて擬似放電を発生させる。なお、上記した規定値Ｖｒおよび時間長ｔは、後述するように任意に設定することが可能となっている。
【００２９】
次に、回路基板検査装置１を用いて回路基板１００を検査する検査方法、およびその際の回路基板検査装置１の動作について、図面を参照して説明する。
【００３０】
検査に先立ち、抵抗値を測定する際の測定精度の確認を行う。この測定精度の確認では、まず、図外の操作部を操作して抵抗の測定レンジを設定する。これに応じて、制御部８が、作動信号Ｓｏ２を出力して負荷回路６のスイッチ６２を制御し、設定された測定レンジに応じて予め対応付けられた抵抗６１を選択する。次いで、プローブ２００，２００を回路基板１００等に接触させていない状態において、回路基板検査装置１に対して抵抗測定の開始を指示する。これに応じて、制御部８が作動信号Ｓｏ１を出力してスイッチ回路７を作動させて、負荷回路６とプローブ２００，２００とを接続させる（プローブ２００，２００間に負荷回路６を接続する）。
【００３１】
続いて、制御部８は、信号生成回路２を制御して検査用信号Ｖｅの出力を開始させる。これにより、プローブ２００，２００の間に検査用信号Ｖｅが供給される。また、検査用信号Ｖｅの供給によってプローブ２００，２００の間に検査用信号Ｖｅと等しい電圧値のプローブ間電圧Ｖｍが発生する。
【００３２】
次いで、電圧検出部３の電圧検出回路３１が、プローブ２００，２００の間のプローブ間電圧Ｖｍを検出し、Ａ／Ｄコンバータ３２が、電圧検出回路３１によって検出された電圧のサンプリングデータＤ１を出力する。また、電流検出部４の電流検出回路４１が、プローブ２００，２００の間（プローブ２００，２００に接続されている負荷回路６およびスイッチ回路７の直列回路に流れる電流）に流れる電流を検出し、Ａ／Ｄコンバータ４２が、電流検出回路４１によって検出された電流のサンプリングデータＤ２を出力する。
【００３３】
続いて、制御部８は、電圧検出部３によって出力されたサンプリングデータＤ１から特定した電圧、および電流検出部４によって出力されたサンプリングデータＤ２から特定した電流に基づき、プローブ２００，２００の間の抵抗値、つまり負荷回路６およびスイッチ回路７の直列回路の抵抗値を測定する。次いで、制御部８は、測定した抵抗値と、選択した抵抗６１の抵抗値（規定値）とを図外の表示部に表示させる。この場合、２つの値を比較して、例えば、測定した抵抗値と抵抗６１の規定値との差が許容範囲内のときには抵抗測定の精度が十分に高いことを確認できるため、次の作業に移る。一方、測定した抵抗値と抵抗６１の規定値との差が許容範囲を超えているときには、予め決められた方法で回路基板検査装置１に対する調整を行った後に、測定精度の確認の作業を再度行う。以上により、測定精度の確認が終了する。
【００３４】
続いて、放電検出部５の動作確認を行う。この動作確認では、まず、図外の操作部を用いて各種の設定を行う。具体的には、制御部８に作動信号Ｓｏ１を出力させるプローブ間電圧Ｖｍの規定値Ｖｒを設定する。また、制御部８から出力させる作動信号Ｓｏ１の時間長ｔ（つまり、負荷回路６とプローブ２００，２００とを接続させる時間長ｔ）を設定する。時間長ｔを長い時間に設定することで、擬似放電の時間を長くすることができ、時間長ｔを短い時間に設定することで、擬似放電の時間を短くすることができる。この場合、一例として、時間長ｔを１ｍｓに設定したものとする。また、負荷回路６のスイッチ６２を切り替えて、各抵抗６１の１つを選択することにより、擬似放電を発生させる際の電圧の変動量（降下量）が上記した基準値Ｎ以上となるように、負荷回路６の負荷特性を設定する。この場合、抵抗値が小さな抵抗６１を選択することで、擬似放電を発生させる際の電圧の変動量を大きくすることができ、抵抗値が大きな抵抗６１を選択することで、擬似放電を発生させる際の電圧の変動量を小さくすることができる。
【００３５】
次いで、プローブ２００，２００を回路基板１００等に接触させていない状態において、回路基板検査装置１に対して放電検出部５の動作確認の実行を指示する。これに応じて、制御部８が、信号生成回路２を制御して検査用信号Ｖｅの出力を開始させ、これにより、プローブ２００，２００の間に検査用信号Ｖｅが供給される。また、検査用信号Ｖｅの供給によってプローブ２００，２００の間に検査用信号Ｖｅと等しい電圧値のプローブ間電圧Ｖｍが発生する。
【００３６】
続いて、制御部８は、電圧検出部３から出力されたサンプリングデータＤ１から特定した電圧値（つまりプローブ間電圧Ｖｍの値）と規定値Ｖｒとを比較し、図３に示すように、プローブ間電圧Ｖｍの値が規定値Ｖｒに達したときに時間長ｔの作動信号Ｓｏ１を１回だけ出力する。
【００３７】
次いで、スイッチ回路７が、制御部８から出力された作動信号Ｓｏ１に従って作動して、負荷回路６とプローブ２００，２００とを接続させる。この際に、負荷回路６の負荷特性に応じた大きな電流が流れ、図３に示すように、プローブ２００，２００の間のプローブ間電圧Ｖｍが負荷回路６の負荷特性に応じて急激に変動（降下）して、プローブ２００，２００の間に擬似放電が発生する。
【００３８】
この際に、放電検出部５の電圧検出回路５１が急激に変動する電圧を検出する。この場合、電圧の変動量が基準値Ｎ以上となるように負荷回路６の負荷特性が設定されているため、擬似放電の発生によって電圧の変動量が基準値Ｎ以上となる結果、放電検出部５のコンパレータ５２が検出信号Ｓｄを出力する。続いて、制御部８が、放電検出部５からの検出信号Ｓｄの出力を判別し、放電が発生した（つまり、放電検出部５が正常に作動した）と判定する。次いで、制御部８は、放電検出部５が正常に作動した旨を図外の表示部に表示させる。以上により、放電検出部５の動作確認が終了する。
【００３９】
この場合、この回路基板検査装置１では、スイッチ回路７が、制御部８から出力された作動信号Ｓｏ１の時間長ｔ（この例では、１ｍｓ）だけ作動するため、擬似放電状態が１ｍｓだけ継続し、１ｍｓ経過後には負荷回路６とプローブ２００，２００との接続が解除されて擬似放電が１回だけ発生する。このため、この回路基板検査装置１では、放電状態が何回も発生するサージアブソーバとは異なり、検査用信号Ｖｅの供給に伴って導体パターン１０１の間に実際に発生する放電と同様の擬似放電を再現することが可能となっている。したがって、この回路基板検査装置１では、放電検出部５の動作確認を正確に行うことが可能となっている。
【００４０】
また、この回路基板検査装置１では、制御部８によってプローブ間電圧Ｖｍと比較される規定値Ｖｒを任意に設定することが可能となっているため、実際に放電が発生するときに回路基板１００に生じる電圧値が回路基板１００の種類によって異なる場合においても、回路基板１００の種類に応じた電圧値に規定値Ｖｒを設定することができるため、複数種類の回路基板１００に対する検査を行う際の放電検出部５の動作確認をより正確に行うことが可能となっている。また、制御部８によって出力される作動信号Ｓｏ１の時間長ｔ（負荷回路６とプローブ２００，２００とを接続させる時間長ｔ）を任意に設定することが可能となっているため、導体パターン１０１の間に実際に発生する放電の継続時間に合わせて時間長ｔを設定することで、実際に発生する放電に擬似放電を一層近付けることが可能となっている。
【００４１】
次に、検査対象の回路基板１００に対する検査を回路基板検査装置１に実行させる。この検査では、制御部８が、図外のプロービング機構を制御して、プローブ２００を回路基板１００の導体パターン１０１に接触させる。続いて、制御部８は、信号生成回路２を制御して検査用信号Ｖｅの出力を開始させる。これにより、導体パターン１０１に検出信号Ｓｄが供給される。
【００４２】
次いで、電圧検出部３の電圧検出回路３１が、導体パターン１０１の間の電圧を検出し、Ａ／Ｄコンバータ３２が、電圧検出回路３１によって検出された電圧のサンプリングデータＤ１を出力する。また、電流検出部４の電流検出回路４１が、導体パターン１０１の間に流れる電流を検出し、Ａ／Ｄコンバータ４２が、電流検出回路４１によって検出された電流のサンプリングデータＤ２を出力する。また、制御部８は、放電検出部５から検出信号Ｓｄが出力されたか否かを判別して、導体パターン１０１の間に放電が発生したか否かを判定する。
【００４３】
ここで、導体パターン１０１に短絡や近接などの欠陥が存在して、検査用信号Ｖｅの供給によって放電が発生し、これに伴って導体パターン１０１の間の電圧（プローブ２００，２００の間のプローブ間電圧Ｖｍ）が急激に降下したときには、放電検出部５の電圧検出回路５１によって変動する電圧が検出される。この場合、電圧の変動量が基準値Ｎ以上のときには、コンパレータ５２が検出信号Ｓｄを出力する。この際には、制御部８が、放電検出部５からの検出信号Ｓｄの出力を判別し、放電が発生したと判定して、その旨（回路基板１００が不良である旨）を図外の表示部に表示させる。
【００４４】
この場合、回路基板検査装置１では、回路基板１００に対する検査に先立ち、負荷回路６を用いて発生させた擬似放電によって放電検出部５の動作確認を行うことが可能となっている。このため、放電検出部５の非作動や誤作動に起因する放電検出の誤判定を防止することが可能となっている。したがって、この回路基板検査装置１では、放電検出の精度を十分に向上させることが可能となっている。
【００４５】
一方、導体パターン１０１に欠陥が存在せず、検査用信号Ｖｅの供給による放電の発生がないときには、導体パターン１０１の間の電圧の急激な変動がなく、放電検出部５からの検出信号Ｓｄの出力がないため、制御部８は、放電が発生しないと判定する。続いて、制御部８は、電圧検出部３によって出力されるサンプリングデータＤ１から特定した電圧、および電流検出部４によって出力されるサンプリングデータＤ２から特定した電流に基づき、導体パターン１０１の間の抵抗値を算出する。次いで、制御部８は、算出した抵抗値が基準値以上であるか否かを判定し、基準値以上であるときには導体パターン１０１の間の絶縁状態が良好であると判定し、基準値未満であるときには、絶縁状態が不良であると判定して、その判定結果を図外の表示部に表示して、回路基板１００に対する検査を終了する。
【００４６】
このように、この回路基板検査装置１によれば、制御部８が、プローブ２００，２００に検出信号Ｓｄが供給されている状態においてスイッチ回路７によって負荷回路６とプローブ２００，２００とが接続されたときに発生する擬似放電を用いて、放電検出部５の動作確認の処理を行うことにより、スイッチ回路７によって負荷回路６とプローブ２００，２００とが接続されているときだけ擬似放電を発生させることができる。このため、この回路基板検査装置１によれば、放電状態が断続的に長い時間継続するサージアブソーバとは異なり、検査用信号Ｖｅの供給に伴って導体パターン１０１の間に実際に発生する放電と同様の擬似放電を再現することができる。したがって、この回路基板検査装置１によれば、放電検出部５の動作確認を十分正確に行うことができる。また、この回路基板検査装置１によれば、測定精度を確認する際に用いる負荷回路６を擬似放電の発生用の負荷回路として兼用することができるため、擬似放電を発生させるための専用の負荷回路を用いる構成と比較して、回路基板検査装置１を簡易に構成することができる。
【００４７】
また、この回路基板検査装置１によれば、抵抗値が異なる複数の抵抗６１と各抵抗６１を選択する複数のスイッチ６２とを備えて負荷回路６を構成したことにより、選択する抵抗６１を変更することで、擬似放電を発生させる際の電圧の変動量（降下量）などの負荷特性を数多くの種類に設定することができるため、擬似放電を実際に発生する放電にさらに近付けることができる。
【００４８】
また、この回路基板検査装置１によれば、スイッチ回路７によって負荷回路６とプローブ２００，２００とが接続される時間長ｔを任意に設定可能に構成したことにより、プローブ２００，２００を介して検査用信号Ｖｅが供給された回路基板１００に実際に発生する放電の継続時間に合わせて時間長ｔを設定することで、擬似放電を実際に発生する放電に一層近付けることができる。
【００４９】
また、この回路基板検査装置１によれば、予め決められた条件が満たされたときに制御部８がスイッチ回路７を制御して負荷回路６とプローブ２００，２００とを接続させて擬似放電を発生させることにより、例えば、手動操作でスイッチ回路７を作動させる構成と比較して、確実かつ容易に擬似放電を発生させることができるため、放電検出部５の動作確認を確実かつ容易に行うことができる。
【００５０】
また、この回路基板検査装置１によれば、プローブ間電圧Ｖｍの値が予め決められた規定値Ｖｒに達したときに、制御部８が予め決められた条件が満たされたとしてスイッチ回路７を制御して負荷回路６とプローブ２００，２００とを接続させることにより、回路基板１００に対する検査の際に実際に放電が発生するときの回路基板１００に生じる電圧値と同じ電圧値に規定値Ｖｒを設定することで、擬似放電が発生するタイミングを実際に放電が発生するタイミングに近付けることができるため、放電検出部５の動作確認をさらに正確に行うことができる。
【００５１】
また、この回路基板検査装置１によれば、制御部８によってプローブ間電圧Ｖｍと比較される規定値Ｖｒを任意に設定可能に構成したことにより、実際に放電が発生するときに回路基板１００に生じる電圧値が回路基板１００の種類によって異なる場合においても、回路基板１００の種類に応じた電圧値に規定値Ｖｒを設定することができるため、複数種類の回路基板１００に対する検査を行う際の放電検出部５の動作確認をより正確に行うことができる。
【００５２】
なお、プローブ間電圧Ｖｍが規定値Ｖｒに達したときに予め決められた条件が満たされたとして、制御部８がスイッチ回路７を作動させる構成例について上記したが、例えば、検査用信号Ｖｅの出力開始時点から予め決められた時間経過したときに、予め決められた条件が満たされたとしてスイッチ回路７を作動させる構成を採用することもできる。また、この構成を採用したときには、スイッチ回路７を作動させる時間経過を任意に設定可能な構成を採用することもできる。また、制御部８がスイッチ回路７を作動（制御する）構成に代えて、手動操作でスイッチ回路７を作動させる構成を採用することもできる。
【００５３】
また、４個の抵抗６１を備えて負荷回路６を構成した例について上記したが、抵抗６１の数は測定レンジの数に応じて任意に規定することができる。また、１つの測定レンジに１つの抵抗６１を対応付けた例について説明したが、２つ以上の抵抗６１を組み合わせて１つの測定レンジに対応付けることもできる。また、規定値Ｖｒおよび時間長ｔを任意に変更可能に構成した例について上記したが、これらの一方または双方が予め決められた値に設定（固定）されている構成を採用することもできる。また、放電検出部５の構成は上記の構成に限定されず、例えば、電流の変化量や変化率に基づいて放電の発生を検出する構成を採用することもできる。
【符号の説明】
【００５４】
１  回路基板検査装置
２  信号生成回路
５  放電検出部
６  負荷回路
７  スイッチ回路
８  制御部
６１  抵抗
６２  スイッチ
１００  回路基板
２００  プローブ
Ｓｏ  作動信号
ｔ  時間長
Ｖr  規定値
Ｖｅ  検査用信号
Ｖｍ  プローブ間電圧
【図１】
0005501876.tif 000002
【図２】
0005501876.tif 000003
【図３】
0005501876.tif 000004